(57)【要約】【構成】ロール状のワイプが装填され、容器のノズルまたは開口１１から上記ロールの軸線に平行な方向にワイプ１を引き出すように構成されたノズルまたは開口を有する容器である。ワイプ１は、側縁部２Ａ、２Ｂが平行で、リード縁部３Ａおよびトレール縁部３Ｂを有する長尺材料２からなる。開裂線４、第１側縁部２Ａの所定の点５Ａから他方の第２側縁部２Ｂの所定の点５Ｂまで延長し、各開裂線が、第１側縁部においてよりも第２側縁部付近でより開裂しやすく、そして開裂線の第１側縁部の上記点が、上記他方の第２側縁部よりも先に、上記ノズルまたは開口から現れるようにワイプを構成する。【選択図】図１
2011504380.tif 000002
【特許請求の範囲】
【請求項１】
側縁部が平行で、リード端部およびトレール端部を有する長尺の材料から構成したロール状のワイプが装填され、容器のノズルまたは開口から上記ロールの軸線に平行な方向にワイプを引き出すように構成されたノズルまたは開口を有する容器において、各ワイプを分離するワイプの開裂線が上記長尺材料の長さ方向に離間配設され、これら開裂線が、第１側縁部の所定の点から他方の第２側縁部の所定の点まで延長し、各開裂線が、第１側縁部においてよりも第２側縁部付近でより開裂しやすく、そして開裂線の第１側縁部の上記点が、上記他方の第２側縁部よりも先に、上記ノズルまたは開口から現れるようにワイプが構成されたことを特徴とする容器。
【請求項２】
上記開裂線が、第１側縁部および第２側縁部に対して法線（垂直）方向以外の方向にある請求項１に記載の容器。
【請求項３】
上記他方の第２側縁部の上記点が、さらにトレール端部に向いている請求項１または２に記載の容器。
【請求項４】
各開裂線が、第２側縁部から第１側縁部にかけてその長さにそって徐々に開裂しにくくなる請求項１、２または３に記載の容器。
【請求項５】
各開裂線が、第１側縁部および第２側縁部付近で開裂しやすく、かつ各開裂線の中心に向かって開裂しにくくなる請求項１〜４のいずれか１項に記載の容器。
【請求項６】
上記開裂線が、上記長尺材料に設けた開口またはスロットからなる請求項１〜５のいずれか１項に記載の容器。
【請求項７】
スロットを設け、これらスロットが第２側縁部付近で長くなるように設定された請求項７に記載の容器。
【請求項８】
開口を設け、開口数が第２側縁部付近で多くなるように設定された請求項６または７に記載の容器。
【請求項９】
上記開裂線が、直線状開裂線である請求項１〜８のいずれか１項に記載の容器。
【請求項１０】
上記開裂線が、湾曲開裂線、波形開裂線、あるいはその他の非直線状開裂線である請求項１〜８のいずれか１項に記載の容器。
【請求項１１】
請求項１〜１０のいずれか１項に記載の容器に使用される長尺ワイプ。
【請求項１２】
スロットを設け、各開裂線が開裂しやすくなる場所で長く設定された請求項１１に記載のワイプ。
【請求項１３】
開口を設け、各開裂線が開裂しやすくなる場所で開口数が多く設定された請求項１１または１２に記載のワイプ。
【請求項１４】
ワイプ材料が不織布である請求項１１、１２または１３に記載のワイプ。
【請求項１５】
ワイプ材料が含浸材料である請求項１１〜１４のいずれか１項に記載のワイプ。
【請求項１６】
ワイプが湿式ワイプである請求項１１〜１５のいずれか１項に記載のワイプ。
【発明の詳細な説明】
【技術分野】
【０００１】
本発明は、ワイプに関する。
【背景技術】
【０００２】
通常、ワイプは、側縁部が平行な長尺の含浸不織布からなり、そして開裂線が含浸不織布の全長にそって等間隔に存在し、各開裂線が、側縁部間において不織布の幅に対して法線方向にあるとともに、その幅全体に存在する。従って、各ワイプは、開裂線間に形成されている。
【０００３】
このようなワイプの場合、タブ形容器に装填され、使用時にタブ開口から引っ張り出されるようになっていることが多い。ワイプがタブ開口から引き出されると、開裂線からワイプが切り取られ、長尺ワイプの残りから個々のワイプが分離する。そして、次のワイプのリード縁が開口から突き出た状態になるため、次のワイプを使用するさいに、これをタブ容器から引き出すことができる。
【０００４】
このようなワイプの問題点は、ワイプ間の開裂線が、次のワイプのリード縁がタブ容器開口から突き出た状態になる前に、開裂する傾向があるため、このワイプを使用するためには、タブ容器を開き、タブ容器開口から引き出す必要がある点である。あるいは、次にワイプのリード縁がタブ容器開口から突き出たまさにその時点で、開裂線からワイプが切り取られる場合もあるが、掴むことができるリード縁の長さが短く、次のワイプを引き出すことができない。
【０００５】
ＵＳ２００２００７４３７５Ａ１には、テール部を次の利用者が確実に利用できるようにした改良方法が開示されている。このワイプの特徴は、その長さにそって開裂線領域を設け、この領域の片側または両側にカット領域を設けた点にある。開裂線領域の開裂線は、その長さにそって均一であり、その長さに沿う任意の点で切り取られるようにするために同じ強さをもっている必要がある。ワイプが容器の開口に引き出されると、これらカットがあるため、ワイプの領域が後ろ向きに曲がり、開口にキャッチする。これら湾曲した領域は、必然的にキャッチフラップになる。このため、容器の開口の外側に位置する開裂線領域に十分な張力が発生し、引き出されている個々のシートが切り取られる。ワイプは、スリット形の引き出し開口から出てくる。この場合、ワイプを分離する機構は、スリット形開口に係合するキャッチフラップの作用である。この方法は、容器に装填されたロール状のワイプの外側からワイプを取りだすポップアップ式ワイプ取り出しシステムに適用することができる。
【０００６】
ワイプのタブ容器の場合、長尺のワイプ材料が、全体として捻じれたチューブ状の形でウエブの中心から出てくるが、この形では、必ずしもキャッチフラップが、カット部分から形成されない。なぜなら、ＵＳ２００２００７４３７５Ａ１に詳しく記載されているように、キャッチフラップを形成するカット部分が、捻じれたチューブ状構成の一部になるからである。従って、タブ容器からのワイプの取り出しが簡単で、個々のシートに分離できる異なる機構が必要である。
【０００７】
ＵＳ２００２１５５２４６には、ワイプの側縁部に垂直に開裂線を設けたワイプが記載されているが、所定の開裂線がその長さ間の開裂性を変えてあるにも関わらず、一方の側縁部における開裂が他方の側縁部と同じ程度に簡単である。上記公報には、一つの第２側縁部からもう一つの側縁部にかけて長さにそって徐々に開裂しにくくなる開裂線については開示がない。
【先行技術文献】
【特許文献】
【０００８】
【特許文献１】ＵＳ２００２００７４３７５Ａ１
【特許文献２】ＵＳ２００２１５５２４６
【特許文献３】ＧＢ０７１０５９６．８
【特許文献４】ＧＢ０６１７０６７．４
【発明の概要】
【発明が解決しようとする課題】
【０００９】
本発明の目的は、上記従来技術の問題を解決することである。
【課題を解決するための手段】
【００１０】
本発明は、側縁部が平行で、リード端部およびトレール端部を有する長尺の材料から構成したロール状のワイプが装填され、容器のノズルまたは開口から上記ロールの軸線に平行は方向にワイプを引き出すように構成されたノズルまたは開口を有する容器において、各ワイプを分離するワイプの開裂線が上記長尺材料の長さ方向に離間配設され、これら開裂線が、第１側縁部の所定の点から他方の第２側縁部の所定の点まで延長し、各開裂線が、第１側縁部においてよりも第２側縁部付近でより開裂しやすく、そして開裂線の第１側縁部の上記点が、上記他方の第２側縁部よりも先に、上記ノズルまたは開口から現れるようにワイプが構成された容器を提供する。
【００１１】
本発明は、容器開口から引き出されるように構成されたワイプの容器に展開応用することができる。
【００１２】
ワイプの容器の形式としては、ＧＢ０７１０５９６．８およびＧＢ０６１７０６７．４に記載されているものが使用できる。なお、これら明細書の内容は、本願明細書に援用するものとする。
【００１３】
以下、本発明の実施態様に関して、添付図面を参照して説明する。
【図面の簡単な説明】
【００１４】
【図１】ワイプの第１実施態様を示す平面図である。
【図２】タブ容器開口から引き出されているワイプのリード縁部から分離されている状態を示す図である。
【図３】ワイプの第２実施態様を示す平面図である。
【図４】ワイプの第３実施態様を示す平面図である。
【図５】ワイプの第４実施態様を示す平面図である。
【発明を実施するための形態】
【００１５】
図１について説明すると、長尺の材料２からなるワイプ１は、第１側縁部２Ａおよび第２側縁部２Ｂが平行であり、リード端部３Ａおよびトレール端部３Ｂを有する。
【００１６】
材料２の直線状の切り取り開裂線４（以下開裂線と呼ぶ）は、材料の長さにそって離間配設され、各ワイプ１を分離する。各開裂線は、第１側縁部２Ａの点５Ａから他方の第２側縁部２Ｂの点５Ｂまで延長し、トレール端部に向けて順次設けられる。
【００１７】
図示のように、各開裂線４は、スロット６Ａ、６Ｂ、６Ｃ、６Ｄ、６Ｅ、６Ｆからなり、これらスロットはこの順で長さが短く設定されているため、スロット６Ａが最も長く、そしてスロット６Ｆが最も短い。従って、各開裂線４は、開裂が、第１側縁部２Ａ付近よりも第２側縁部２Ｂ付近においてより簡単になる。換言すれば、各開裂線４は、第２側縁部から第１側縁部にかけてその長さに沿う開裂が徐々に難しくなる。
【００１８】
図２について説明すると、タブ容器１０にノズルまたは開口１１を介して、図１に示した形式のワイプ１を装填し、これを取り出す。
【００１９】
ノズル１１から第１ワイプ１を引き出すと、これとともに、第２側縁部２Ｂの点５Ｂがノズルから出てくるまで、次の第２ワイプが引っ張られる。ノズルの摩擦については、開裂線４が点５Ａ付近で開裂し始める程度に小さく設定され、しかも点５Ｂで開裂が開始する程度に大きく設定される。いったん開裂が開始すると、開裂線が、第１側縁部に向かって開裂を続ける。従って、リード端部５Ａが既にタブ容器外に出た状態で、トレール端部５Ｂがノズルに達するまで、開裂は始まらない。開裂している間、既に分離し、図２に示すように、材料本体との間に隙間がある状態のワイプの開裂領域は、必然的に遅れ、非開裂領域を引きずることになる。従って、開裂線に角度があり、そして側縁部５Ｂと５Ａとの間の時間差があるため、第１ワイプが次の第２ワイプから分離したときに、第２ワイプの次に引き出されるリード縁部が開口から完全に引き出されるため、簡単にこれを掴むことができる。
【００２０】
図３について説明すると、第１側縁部２２Ａと第２側縁部２２Ｂが平行で、リード端部２３Ａおよびトレール端部２３Ｂを有する長尺材料２２からワイプ２１を形成する。
【００２１】
材料２２の直線状の開裂線２４は、材料の長さにそって離間配設され、各ワイプ２１を分離する。各開裂線は、第１側縁部２２Ａの点２５Ａから他方の第２側縁部２２Ｂの点２５Ｂまで延長し、側縁部に対して直角あるいは直交関係にある。
【００２２】
図示のように、各開裂線２４は、スロット２６Ａ、２６Ｂ、２６Ｃ、２６Ｄ、２６Ｅ、２６Ｆからなり、これらスロットはこの順で長さが短く設定されているため、スロット２６Ａが最も長く、そしてスロット２６Ｆが最も短い。従って、各開裂線２４は、開裂が、第１側縁部２２Ａ付近よりも第２側縁部２２Ｂ付近においてより簡単になる。換言すれば、各開裂線２４は、第２側縁部から第１側縁部にかけてその長さに沿って徐々に開裂し難くなる。
【００２３】
図４について説明すると、第１側縁部３２Ａと第２側縁部３２Ｂが平行で、リード端部３３Ａおよびトレール端部３３Ｂを有する長尺材料３２からワイプ３１を形成する。
【００２４】
材料３２の波状の開裂線３４は、材料の長さにそって離間配設され、各ワイプ３１を分離する。各開裂線は、第１側縁部３２Ａの点３５Ａから他方の第２側縁部３２Ｂの点３５Ｂまで延長し、全体として側縁部に対して直角あるいは直交関係にある。
【００２５】
図示のように、各開裂線３４は、スロット３６Ａ、３６Ｂ、３６Ｃ、３６Ｄ、３６Ｅ、３６Ｆからなり、これらスロットはこの順で長さが短く設定されているため、スロット３６Ａが最も長く、そしてスロット３６Ｆが最も短い。従って、各開裂線３４は、開裂が、第１側縁部３２Ａ付近よりも第２側縁部３２Ｂ付近においてより簡単になる。換言すれば、各開裂線３４は、第２側縁部から第１側縁部にかけてその長さに沿って徐々に開裂し難くなる。
【００２６】
図５について説明すると、第１側縁部４２Ａと第２側縁部４２Ｂが平行で、リード端部４３Ａおよびトレール端部４３Ｂを有する長尺材料４２からワイプ４１を形成する。
【００２７】
材料４２の山形開裂線４４は、材料の長さにそって離間配設され、各ワイプ４１を分離する。各開裂線４４は、第１側縁部４２Ａの点４５Ａから、リード端部４３Ａ側のワイプ４５Ｂ中心にある点まで延長してから、トレール端部側の他方の第２側縁部４２Ｂの点４５Ｃまで延長する。
【００２８】
図示のように、各開裂線４４は、スロット４６Ａ、４６Ｂ、４６Ｃ、４６Ｄ、４６Ｅ、４６Ｆからなり、これらスロットは、スロット４６Ａ、４６Ｆがともに最も長く、そしてスロット４６Ｃ、４６Ｄが最も短くなるように長さが設定されている。即ち、各開裂線４４は、中心４２Ｂにおいてよりも第１側縁部４２Ａ、第２側縁部４２Ｃ付近において最も開裂しやすく、換言すれば、各開裂線４４は、第１側縁部および第２側縁部から中心にかけてその長さにそって開裂が徐々に難しくなる。この場合、トレール端部４５Ａ、４５Ｃがノズルに達し、リード端部４５Ｂが既に容器の外に出た状態になるまで、開裂は始まらない。開裂時、材料本体から切り離されて、材料本体に対して隙間がある状態になっているワイプの開裂領域は、必然的に遅れ、非開裂領域を引きずることになる。従って、山形開裂線に角度があり、そしてトレール縁部４５Ａ、４５Ｃの開裂とリード縁部４５Ｂの開裂との間に時間差があるため、第１ワイプが次の第２ワイプから分離したときに、第２ワイプの次に引き出されるリード縁部４５Ｂが開口から完全に引き出されるため、簡単にこれを掴むことができる。
【００２９】
各ワイプ１、２１、３１、４１は、任意の適当な材料で構成すればよく、例示すれば不織布や紙材料があり、またよく知られているように含浸したものでもよい。また、各ワイプは、湿式でもよく、乾式でもよい。
【００３０】
本発明は、上記の具体例とは異なる実施態様でも実施することができる。長さの異なるスロットの代わりに、第２側縁部付近で個数が多くなる均一な開口を設けることができる。また、直線状の開裂線４の代わりに、湾曲開裂線、波形開裂線などの非直線的な開裂線を使用してもよい。
【００３１】
当業者ならば、本発明の範囲から逸脱しなくても各種の変更を実施できるはずである。
【符号の説明】
【００３２】
１：ワイプ
２：長尺材料
２Ａ、２Ｂ：側縁部
３Ａ：リード端部
３Ｂ：トレール端部
４：開裂線
【図１】
2011504380.tif 000003
【図２】
2011504380.tif 000004
【図３】
2011504380.tif 000005
【図４】
2011504380.tif 000006
【図５】
2011504380.tif 000007
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
側縁部が平行で、リード端部およびトレール端部を有する長尺の材料から構成したロール状のワイプが装填され、容器のノズルまたは開口から上記ロールの軸線に平行な方向にワイプを引き出すように構成されたノズルまたは開口を有する容器において、各ワイプを分離するワイプの開裂線が上記長尺材料の長さ方向に離間配設され、これら開裂線が、第１側縁部の所定の点から他方の第２側縁部の所定の点まで延長するため、開裂線によって分離されたワイプが、開裂線の全長間で接合し、各開裂線が、開裂線のより開裂し難い点においてよりも少なくとも第１側縁部からより開裂しやすく、そして開裂線のより開裂し難い点が、第１側縁部の点にある開裂線よりも先に、上記ノズルまたは開口から現れる、そして上記ノズルまたは開口が、抵抗力を発生し、これによって開裂線が、第２側縁部が上記ノズルまたは開口から現れた後に開裂するようにロール状のワイプを構成したことを特徴とする容器。
【請求項２】
上記開裂線が、第１側縁部および第２側縁部に対して法線（垂直）方向以外の方向にある請求項１に記載の容器。
【請求項３】
上記他方の第２側縁部の上記点が、さらにトレール端部に向いている請求項１または２に記載の容器。
【請求項４】
各開裂線が、第２側縁部から第１側縁部にかけてその長さにそって徐々に開裂しにくくなる請求項１、２または３に記載の容器。
【請求項５】
各開裂線が、第１側縁部および第２側縁部付近で開裂しやすく、かつ各開裂線の中心に向かって開裂しにくくなる請求項１〜４のいずれか１項に記載の容器。
【請求項６】
上記開裂線が、上記長尺材料に設けた開口またはスロットからなる請求項１〜５のいずれか１項に記載の容器。
【請求項７】
スロットを設け、これらスロットが第２側縁部付近で長くなるように設定された請求項６に記載の容器。
【請求項８】
開口を設け、開口数が第２側縁部付近で多くなるように設定された請求項６または７に記載の容器。
【請求項９】
上記開裂線が、直線状開裂線である請求項１〜８のいずれか１項に記載の容器。
【請求項１０】
上記開裂線が、湾曲開裂線、波形開裂線、あるいはその他の非直線状開裂線である請求項１〜８のいずれか１項に記載の容器。
【請求項１１】
請求項１〜１０のいずれか１項に記載の容器に使用される長尺ワイプ。
【請求項１２】
上記開裂線が、上記長尺材料に設けたスロットまたは開口からなる請求項１１に記載のワイプ。
【請求項１３】
スロットを設け、各開裂線が開裂しやすくなる場所で長く設定された請求項１１または１２に記載のワイプ。
【請求項１４】
開口を設け、各開裂線が開裂しやすくなる場所で開口数が多く設定された請求項１１，１２または１３に記載のワイプ。
【請求項１５】
上記開裂線が、直線開裂線である請求項１１〜１４のいずれか１項に記載のワイプ。
【請求項１６】
上記開裂線が、湾曲開裂線、波形開裂線、あるいはその他の非直線状開裂線である請求項１１〜１４のいずれか１項に記載のワイプ。
【請求項１７】
ワイプ材料が不織布である請求項１１〜１６のいずれか１項に記載のワイプ。
【請求項１８】
ワイプ材料が含浸材料である請求項１１〜１７のいずれか１項に記載のワイプ。
【請求項１９】
ワイプが湿式ワイプである請求項１１〜１８のいずれか１項に記載のワイプ。
【国際調査報告】
2011504380.tif 000008
2011504380.tif 000009
2011504380.tif 000010